(57)【特許請求の範囲】
【請求項１】
複数のノードが方路によって接続されたネットワーク装置を備え、
上記複数のノードは、
自ノードに接続される１つまたは複数の方路から伝送された情報と自ノードの装置の情報とを加算して、その加算した情報を自ノードの装置に伝送すると共に自ノードに接続される１つまたは複数の方路に伝送する主加算ノードと、
自ノードに接続される上記主加算ノード側ではない１つまたは複数の方路から伝送された情報と自ノードの装置の情報とを加算して、自ノードに接続されるその主加算ノード側の方路に伝送し、その主加算ノード側の方路から伝送された情報を自ノードの装置に伝送すると共に自ノードに接続されるその主加算ノード側ではない１つまたは複数の方路に伝送する１つまたは複数の中継加算ノードとを備えたことを特徴とするネットワーク装置。
【請求項２】
各々のノードに固有の識別子を付与し、各々のノードに自ノードの識別子を伝送すると共に、各々のノードにおいて自ノードの識別子と他ノードの識別子とを比較することにより、ネットワーク上において１つの主加算ノードを設定することを特徴とする請求項１記載のネットワーク装置。
【発明の詳細な説明】
【０００１】
【発明の属する技術分野】
この発明は、トポロジーの変化に対応可能なネットワーク装置に関するものである。
【０００２】
【従来の技術】
図４は例えば特開平４−２９８１４７号公報に示された従来の会議通話方式を示す構成図であり、図において、１は特定ノード、２〜４は中継加算ノード、ＲＯＴ＝１〜ＲＯＴ＝４は、特定ノード１および中継加算ノード２〜４を接続する方路である。なお、方路ＲＯＴ＝１〜ＲＯＴ＝４は、送信側通話路と受信側通話路との２つの線路が存在するものである。
【０００３】
次に動作について説明する。
図４に示したように、特定ノード１および中継加算ノード２〜４は、方路ＲＯＴ＝１〜ＲＯＴ＝４によってリング型のネットワークが構成されている。
特定ノード１は、自加入電話機の音声を、方路ＲＯＴ＝１の送信側通話路を通じて、隣接する中継加算ノード２に伝送する。中継加算ノード２は、方路ＲＯＴ＝１を通じて特定ノード１より伝送された音声に、自加入電話機の音声を加算し、方路ＲＯＴ＝２の送信側通話路を通じて、隣接する中継加算ノード３に伝送する。中継加算ノード３は、方路ＲＯＴ＝２を通じて中継加算ノード２より伝送された音声に、自加入電話機の音声を加算し、方路ＲＯＴ＝３の送信側通話路を通じて、隣接する中継加算ノード４に伝送する。中継加算ノード４は、方路ＲＯＴ＝３を通じて中継加算ノード３より伝送された音声に、自加入電話機の音声を加算し、方路ＲＯＴ＝４の送信側通話路を通じて、隣接する特定ノード１に伝送する。そして、特定ノード１においては、方路ＲＯＴ＝４の送信側通話路を通じて、中継加算ノード４より伝送された音声を、自ノード内において、受信側通話路に切り替え、自加入電話機に送出すると共に、方路ＲＯＴ＝１の受信側通話路を通じて、隣接する中継加算ノード２に伝送する。同様に、中継加算ノード２〜４において、自加入電話機に送出すると共に、隣接の中継加算ノードにそのまま送出する。このようにして、各ノードの加入電話機の加算された音声を全てのノードの加入電話機に伝送する。
【０００４】
【発明が解決しようとする課題】
従来のネットワーク装置は以上のように構成されているので、リング型のネットワークにしか適用することができず、リング型以外のバス型およびスター型のネットワークには適用することができなかった。
また、主加算ノード１がネットワークから離脱する場合など、ネットワークのトポロジーの変化にも、適応することができないなどの課題があった。
【０００５】
この発明は上記のような課題を解決するためになされたもので、リング型以外のバス型およびスター型のネットワークにも適用され、ネットワークのトポロジーの変化にも、適応可能なネットワーク装置を得ることを目的とする。
【０００６】
【課題を解決するための手段】
この発明に係るネットワーク装置は、自ノードに接続される１つまたは複数の方路から伝送された情報と自ノードの装置の情報とを加算して、加算した情報を自ノードの装置に伝送すると共に自ノードに接続される１つまたは複数の方路に伝送する主加算ノードと、自ノードに接続される主加算ノード側ではない１つまたは複数の方路から伝送された情報と自ノードの装置の情報とを加算して、自ノードに接続される主加算ノード側の方路に伝送し、主加算ノード側の方路から伝送された情報を自ノードの装置に伝送すると共に自ノードに接続される主加算ノード側ではない１つまたは複数の方路に伝送する１つまたは複数の中継加算ノードとを備えたものである。
【０００７】
この発明に係るネットワーク装置は、各々のノードに固有の識別子を付与し、各々のノードに自ノードの識別子を伝送すると共に、各々のノードにおいて自ノードの識別子と他ノードの識別子とを比較することにより、ネットワーク上において１つの主加算ノードを設定するようにしたものである。
【０００８】
【発明の実施の形態】
以下、この発明の実施の一形態を説明する。
実施の形態１．
図１はこの発明の実施の形態１による会議通話方式を示す構成図であり、図において、１１は主加算ノード、１２は中継加算ノード、１３，１４は端ノード、ＲＯＴ＝１〜ＲＯＴ＝３は、主加算ノード１１、中継加算ノード１２および端ノード１３，１４を接続する方路である。なお、方路ＲＯＴ＝１〜ＲＯＴ＝３は、送信側通話路と受信側通話路との２つの線路が存在するものである。
【０００９】
次に動作について説明する。
図１に示したように、主加算ノード１１、中継加算ノード１２および端ノード１３，１４は、方路ＲＯＴ＝１〜ＲＯＴ＝３によってバス型のネットワークが構成されている。
端ノード１３は、自加入電話機の音声を、方路ＲＯＴ＝２の送信側通話路を通じて、隣接する中継加算ノード１２に伝送する。中継加算ノード１２は、方路ＲＯＴ＝２を通じて端ノード１３より伝送された音声に、自加入電話機の音声を加算し、方路ＲＯＴ＝１の送信側通話路を通じて、隣接する主加算ノード１１に伝送する。一方、端ノード１４は、自加入電話機の音声を、方路ＲＯＴ＝３の送信側通話路を通じて、隣接する主加算ノード１１に伝送する。主加算ノード１１は、方路ＲＯＴ＝１を通じて中継加算ノード１２より伝送された音声と、方路ＲＯＴ＝３を通じて端ノード１４より伝送された音声と、自加入電話機の音声を加算する。そして、主加算ノード１１は、自ノード内において、受信側通話路に切り替え、自加入電話機に送出すると共に、方路ＲＯＴ＝１および方路ＲＯＴ＝３の受信側通話路を通じて、隣接する中継加算ノード１２および端ノード１４に伝送する。中継加算ノード１２は、方路ＲＯＴ＝１を通じて主加算ノード１１より伝送された音声を自加入電話機に送出すると共に、方路ＲＯＴ＝２の受信側通話路を通じて隣接の端ノード１３にそのまま送出する。端ノード１３，１４は、伝送された音声を自加入電話機に送出する。このようにして、各ノードの加入電話機の加算された音声を全てのノードの加入電話機に伝送する。
【００１０】
以上のように、この実施の形態１においては、バス型のネットワークにも適用することができる。また、図では示さなかったが、スター型のネットワークにも適用することができる。さらに、端ノード１３，１４を外し、主加算ノード１１と中継加算ノード１２とを方路によってリング型に接続すれば、リング型のネットワークにも適用することができる。
また、主加算ノード１１および中継加算ノード１２に、新たに方路によって中継加算ノードまたは端ノードを接続する等、トポロジーの変化にも適応できる。なお、図１では、中継加算ノード１２を１つだけ示したが、複数の中継加算ノードを接続しても良い。
さらに、上記実施の形態１においては、音声だけの加算および伝送について説明したが、画像や文字等の情報であっても良い。
【００１１】
実施の形態２．
図２はこの発明の実施の形態２による会議通話方式を示す構成図であり、図において、１５，１６は端ノード１３，１４の代わりに接続された中継加算ノードである。その他の構成については、図１と同一である。
【００１２】
次に動作について説明する。
図２に示したように、主加算ノード１１および中継加算ノード１２，１５，１６は、方路ＲＯＴ＝１〜ＲＯＴ＝３によってバス型のネットワークが構成されている。動作としては、実施の形態１と同じである。但し、実施の形態１では、端ノード１３，１４がネットワークの両端に存在していたのに対し、実施の形態２では、ネットワークの両端に中継加算ノード１５，１６を設けたので、ネットワークの両端におけるトポロジーの変化に柔軟に対応できる形態となっている。
【００１３】
以上のように、この実施の形態２においては、バス型のネットワークにも適用することができる。また、図では示さなかったが、スター型のネットワークにも適用することができる。さらに、中継加算ノード１５と中継加算ノード１６とを方路によってリング型に接続すれば、リング型のネットワークにも適用することができる。
また、主加算ノード１１および中継加算ノード１２，１５，１６に、新たに方路によって中継加算ノードまたは端ノードを接続する等、トポロジーの変化にも適応できる。
なお、図２では、中継加算ノード１２，１５，１６の３つだけ示したが、もっと沢山の中継加算ノードを接続しても良い。
また、図２では、主加算ノード１１をネットワークの端に設けなかったが、主加算ノード１１をネットワークの端に設けても良い。
さらに、上記実施の形態２おいては、音声だけの加算および伝送について説明したが、画像や文字等の情報であっても良い。
【００１４】
実施の形態３．
図３はこの発明の実施の形態３による会議通話方式を示す構成図である。
実施の形態１および実施の形態２では、主加算ノードが１つだけとしていたが、主加算ノードと中継加算ノードの加算回路は同一に構成することが可能であるので、特に主加算ノードと中継加算ノードを明確に区別する必要はなく、主加算ノードがネットワークより離脱する等、ネットワークのトポロジーが変化した場合、中継加算ノードが主加算ノードとして動作することもできる。
図３において、各ノードに識別番号（ＩＤ：識別子）を割り振り、各々のノードに自ノードの識別番号を伝送すると共に、各々のノードにおいて自ノードの識別番号と他ノードの識別番号とを相互比較し、例えば、最も若番のノードが主加算ノードとなる等、ネットワークに１ノードのみ主加算ノードとなるようにする。例えば、図３では、主加算ノード１１がＩＤ＝０で最も若番のノードであるが、その主加算ノード１１がネットワークより離脱した場合には、次に若番のＩＤ＝１の中継加算ノード１２が主加算ノードに設定される。
【００１５】
以上のように、この実施の形態３においては、主加算ノード１１がネットワークから離脱する等のトポロジーの変化があった場合でも、各中継加算ノード１２，１５，１６において自他ノードの固有の識別番号を比較することより、中継加算ノードから主加算ノードに昇進させ、ネットワーク上において新たな１つの主加算ノードを設定することができる。
【００１６】
【発明の効果】
以上のように、この発明によれば、自ノードに接続される１つまたは複数の方路から伝送された情報と自ノードの装置の情報とを加算して、加算した情報を自ノードの装置に伝送すると共に自ノードに接続される１つまたは複数の方路に伝送する主加算ノードと、自ノードに接続される主加算ノード側ではない１つまたは複数の方路から伝送された情報と自ノードの装置の情報とを加算して、自ノードに接続される主加算ノード側の方路に伝送し、主加算ノード側の方路から伝送された情報を自ノードの装置に伝送すると共に自ノードに接続される主加算ノード側ではない１つまたは複数の方路に伝送する１つまたは複数の中継加算ノードとを備えるように構成したので、バス型またはスター型のネットワークに適用することができ、加入装置間で加算された情報を送受信することができると共に、方路によってノードをリング型に接続すれば、リング型のネットワークにも適用することができる。
また、主加算ノードおよび中継加算ノードに、新たに方路によって中継加算ノードまたは端ノードを接続する等、トポロジーの変化にも適応できる効果がある。
【００１７】
この発明によれば、各々のノードに固有の識別子を付与し、各々のノードに自ノードの識別子を伝送すると共に、各々のノードにおいて自ノードの識別子と他ノードの識別子とを比較することにより、ネットワーク上において１つの主加算ノードを設定するように構成したので、主加算ノードがネットワークから離脱する等のトポロジーの変化があった場合でも、各中継加算ノードにおいて自他ノードの固有の識別子を比較することより、中継加算ノードから主加算ノードに昇進させ、ネットワーク上において新たな１つの主加算ノードを設定することができる効果がある。
【図面の簡単な説明】
【図１】  この発明の実施の形態１による会議通話方式を示す構成図である。
【図２】  この発明の実施の形態２による会議通話方式を示す構成図である。
【図３】  この発明の実施の形態３による会議通話方式を示す構成図である。
【図４】  従来の会議通話方式を示す構成図である。
【符号の説明】
１１  主加算ノード、１２，１５，１６  中継加算ノード、１３，１４  端ノード、ＲＯＴ＝１〜ＲＯＴ＝３  方路。
【図１】
0003816355.tif 000002
【図２】
0003816355.tif 000003
【図３】
0003816355.tif 000004
【図４】
0003816355.tif 000005